(57)【要約】【課題】所望するタイミングで簡易な方法により音声信号を送信する信号方式を判定することができる通信装置を提供する。【解決手段】本発明の電話機１は、トーン信号を発生させ、交換機に出力する信号発生指示部４１およびＤＴＭＦ信号発生部１５と、パルス信号を発生させ、交換機に出力する信号発生指示部４１およびパルス信号発生部１６と、トーン信号の出力後における、交換機からのダイヤルトーンの検出状態と、パルス信号の出力後における、交換機からのダイヤルトーンの検出状態とに基づき、アナログ信号をデジタル信号に変換するための中継装置を介して交換機に接続されているか否かを判定する通信結果判定部４２とを備える。【選択図】図１
2009033229.tif 000002
【特許請求の範囲】
【請求項１】
通信先を選択するための選択情報の入力を促す発信音に応じて、該選択情報をトーン信号またはパルス信号のいずれかにより入力し、選択した通信先と通信を確立する通信装置であって、
トーン信号を発生させ、該トーン信号を出力するトーン信号発生手段と、
パルス信号を発生させ、該パルス信号を出力するパルス信号発生手段と、
上記トーン信号発生手段によるトーン信号の出力後における、上記発信音の発生状態と、上記パルス信号発生手段によるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する判定手段と、を備えることを特徴とする通信装置。
【請求項２】
通信先から受信した音声信号に基づき音声を出力する音声出力部と、
上記音声出力部から出力する音声を、上記判定手段により判定された信号方式に応じて調整するように制御する制御手段とを、さらに備えることを特徴とする請求項１に記載の通信装置。
【請求項３】
上記判定手段が上記音声信号の送受信をアナログ信号により行うと判定した場合に上記音声出力部から出力させるべき音声の音量を示す第１音量情報と、上記判定手段が上記音声信号の送受信を、上記中継装置を介してデジタル信号により行うと判定した場合に上記音声出力部から出力させるべき音声の音量を示す第２音量情報とを記憶する音量情報記憶装置をさらに備え、
上記判定手段が、上記中継装置を介してデジタル信号により上記音声信号の送受信を行うと判定した場合、上記制御手段は、上記第２音量情報に基づく音量に、上記音声出力部から出力させる音声の音量を調整するよう制御することを特徴とする請求項２に記載の通信装置。
【請求項４】
上記判定手段が、上記音声信号の送受信をアナログ信号により行うと判定した場合、上記制御手段は、上記第１音量情報に基づく音量となるように、上記音声出力部から出力させる音声を調整するよう制御することを特徴とする請求項３に記載の通信装置。
【請求項５】
上記判定手段が、上記音声信号の送受信を上記中継装置を介してデジタル信号により行うと判定した場合、上記制御手段は、さらに音声出力部から出力させる音声に生じるエコーまたはハウリングを防止し通話品質を調整するように制御することを特徴とする請求項３に記載の通信装置。
【請求項６】
上記判定手段が、上記中継装置を介して上記音声信号の送受信をデジタル信号により行うと判定した場合、上記選択情報を送信するための信号形式としてトーン信号またはパルス信号のいずれを選択するのか問い合わせるための問い合わせ情報を出力する出力手段と、
上記出力手段によって出力された上記問い合わせ情報に基づき選択した信号形式を示す信号形式情報を受付ける受付け部と、をさらに備え、
上記受付け部によって受付けた信号形式情報に基づく信号形式により、上記選択情報を送信することを特徴とする請求項１に記載の通信装置。
【請求項７】
通信先を選択するための選択情報の入力を促す発信音に応じて、該選択情報をトーン信号またはパルス信号のいずれかにより入力し、選択した通信先と通信を確立する通信装置の制御方法であって、
トーン信号を発生させ、該トーン信号を出力する第１ステップと、
パルス信号を発生させ、該パルス信号を出力する第２ステップと、
上記第１ステップによるトーン信号の出力後における、上記発信音の発生状態と、上記第２ステップによるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する第３ステップと、を含むことを特徴とする通信装置の制御方法。
【請求項８】
コンピュータを請求項１から６のいずれか１項に記載の通信装置の各手段として機能させるための通信装置の制御プログラム。
【請求項９】
請求項８に記載の通信装置の制御プログラムを記録したコンピュータ読み取り可能な記録媒体。
【発明の詳細な説明】
【技術分野】
【０００１】
本発明は、通信先を選択するための選択情報の入力を促す発信音に応じて、この選択情報をトーン信号またはパルス信号のいずれかにより入力し、選択した通信先と通信を確立する通信装置通信装置、通信装置の制御方法、通信装置の制御プログラム、および通信装置の制御プログラムを記録した記録媒体に関するものである。
【背景技術】
【０００２】
近年、デジタルデータを利用して音声通話を行う様々な通信技術が開発されている。例えば、このようなデジタルデータを利用した通信技術として、ＩＳＤＮ（Integrated Services Digital Network）およびＩＰ電話が挙げられる。
【０００３】
上記ＩＳＤＮにより音声通話を行う場合、図６に示すように、例えばモジュラージャック（不図示）を介して屋外配線と接続されたターミナルアダプタ（ＴＡ；terminal adapter)２００に、複数の電話機２０１…およびパーソナルコンピュータ（ＰＣ）２０２が接続されるように、加入者宅では屋内配線される。そして、屋外配線では、この加入者宅と通信キャリア２０５との間を加入者線により接続し、通信キャリア２０５を通じてＩＳＤＮ２０６に接続される。
【０００４】
なお、この図６は、従来技術を示すものであり、ＩＳＤＮ、ならびにＡＤＳＬ、ＦＴＴＨ等を利用して実現できるＩＰ電話網の概略を示す図である。
【０００５】
一方、ＩＰ電話は、例えば、ＡＤＳＬ（Asymmetric Digital Subscriber Line）、ＦＴＴＨ（Fiber to the Home）等を利用して実現できる。例えば、ＡＤＳＬを利用してＩＰ電話を行う場合、図６に示すように、加入者宅ではＡＤＳＬモデム２０３を介して電話機２０１が接続されるように屋内配線される。このＡＤＳＬモデム２０３は、電話機２０１から発信するときに音声信号をパケットに変換し、この変換したパケットをイーサネット（登録商標）の信号に変換し加入者線を通じて通信キャリア２０５に送信する。そして、この通信キャリア２０５を介してＩＰネットワーク２０７を経由し他のＩＰ電話機等に送信される。
【０００６】
また、例えばＦＴＴＨを利用してＩＰ電話を行う場合、図６に示すように、加入者宅ではＶｏＩＰルータ２０４を介して電話機２０１が接続されるように屋内配線される。またこのＶｏＩＰルータ２０４は、不図示の光メディアコンバータとも接続されている。
【０００７】
ＶｏＩＰルータ２０４は、電話機２０１から出力された音声信号をパケットに変換し、このパケットを、光メディアコンバータを介して光ケーブルにより通信キャリア２０５に送信する。一方、通信キャリア２０５は、受信したパケットを、ＩＰネットワーク２０７を経由し他のＩＰ電話機等に送信する。
【０００８】
以上のように、近年では一般公衆回線網を利用してアナログ信号により他の電話機と通信を確立する従来の通信サービスよりも高速な通信サービスが提供されている。
【０００９】
ところで、上述のデジタルデータを利用した通信技術により他の電話機と通話をする場合、従来の通信サービス、すなわちアナログ信号で音声信号を送受信し通話を行う場合よりも音量が大きくなる。
【００１０】
つまり、アナログ信号の場合は通信を行う電話機間の距離が長くなるにしたがって公衆回線網を通じてアナログ信号が減衰し音声が小さくなる。これに対してデジタル信号の場合は、伝送中にパルスの波形が崩れてもパルスの有無を判別することができれば、デジタル信号をアナログ信号に変換した際の波形に影響がなく再生することができる。このため、デジタル信号で通話を行う場合とアナログ信号で通話を行う場合とでは、再生時の音声の音量に相違が生じる。
【００１１】
ところで、電話機は工場出荷時にはアナログ信号により通話を行う際に適切となる音量に設定されている。このため、デジタルデータを利用した通信技術により他の電話機と通話する場合、電話機から出力する音量を調整する必要がある。
【００１２】
したがってデジタルデータを利用した通信を行うため、電話機をＶｏＩＰルータ、ＡＤＳＬモデム、ＴＡ等の中継装置を介して屋外配線と接続する上述の構成の場合、この電話機が出力する音量を工場出荷時の設定から調整する必要がある。
【００１３】
このような音量を調整する技術として、例えば特許文献１および２に示す装置が挙げられる。より具体的には、特許文献１では、自機通信網または中継装置のいずれかから伝送されてくる着信通知用信号に基づいて、ＩＰ網経由の着信かＰＳＴＮ網経由の着信かを判定し、この判定結果に応じて異なる信号処理を施す音声信号処理手段とを備えた通信装置が開示されている。また、特許文献２では、発信時または着信時に用いられる回線の種類を識別し、回線の種類に応じた受話音量に調整する電話装置が開示されている。
【００１４】
以上のように特許文献１および２に示す装置では着信時に用いられた回線の種類を判断し出力する音量を調整したり、エコーキャンセルの効き具合を変更したりすることができる。
【特許文献１】特開２００６−３３９８４５号公報（２００６年１２月１４日公開）
【特許文献２】特開昭６２−２１４７９９号公報（１９８７年９月２１日公開）
【発明の開示】
【発明が解決しようとする課題】
【００１５】
しかしながら、上記従来の構成では、利用する回線の種類、すなわち利用する信号方式の判断を、着信時または発信時ごとに行うため、着信および発信処理が煩雑となるという問題を生じる。
【００１６】
本発明は、上記の問題点に鑑みてなされたものであり、その目的は、所望するタイミングで簡易な方法により音声信号を送信する信号方式を判定することができる通信装置、通信装置の制御方法、通信装置の制御プログラム、および通信装置の制御プログラムを記録した記録媒体を実現することにある。
【課題を解決するための手段】
【００１７】
本発明に係る通信装置は、上記した課題を解決するために、通信先を選択するための選択情報の入力を促す発信音に応じて、該選択情報をトーン信号またはパルス信号のいずれかにより入力し、選択した通信先と通信を確立する通信装置であって、トーン信号を発生させ、該トーン信号を出力するトーン信号発生手段と、パルス信号を発生させ、該パルス信号を出力するパルス信号発生手段と、上記トーン信号発生手段によるトーン信号の出力後における、上記発信音の発生状態と、上記パルス信号発生手段によるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する判定手段と、を備えることを特徴とする。
【００１８】
上記選択情報とは、例えば、本発明の通信装置が電話機である場合、通信先として所望する他の電話機の電話番号等である。また、上記発信音とは、いわゆるダイヤルトーンである。また、中継装置とは、通信装置から出力されたアナログ信号をデジタル信号に変換したり、通信装置に入力されたデジタル信号をアナログ信号に変換したりするためのものである。この中継装置とは例えば、ＡＤＳＬモデム、ＶＯＩＰルータ、およびＴＡ等が挙げられる。
【００１９】
上記構成によると、トーン信号発生手段、およびパルス信号発生手段、および判定手段を備えているため、トーン信号およびパルス信号を発生させ、これらの信号形式で適切に伝送させることができるか否か発信音の発生状態から確認することができる。つまり、パルス信号の形式で選択情報の信号を送信させることができるように設定されている場合、発信音は停止させられる。同様にトーン信号の形式で選択情報の信号を送信させることができる場合、発信音は停止される。逆に、発信音が停止されていない場合、出力したパルス信号またはトーン信号の信号形式では選択情報を適切に送信することができないということとなる。
【００２０】
つまり、発信音の発生の有無により、パルス信号の信号形式により信号を伝送させることができるのか、トーン信号の信号形式により信号を伝送させることができるのか判定することができる。さらにまた、パルス信号およびトーン信号それぞれの信号形式による出力に対して、ともに発信音が停止された場合、出力したアナログ信号（パルス信号またはトーン信号）が中継装置によりデジタル信号に変換され出力されたものと判定することができる。
【００２１】
このように、本発明に係る通信装置は、簡易な方法により、自身が中継装置を介して交換機に接続されているのか否か判定することができる。すなわち、他の通信装置と通信を確立した場合、デジタル信号によって音声信号が送信されるのか、あるいはアナログ信号によって音声信号が送信されるのか所望するタイミングで判定することができる。
【００２２】
また、この送信する音声信号の信号方式を、当該通信装置を利用する利用者が所望するタイミングで判断することができるため、回線の種類を着信時または発信時に判断する構成と比較して、着信時または発信時における処理が煩雑とならない。
【００２３】
したがって、本発明に係る通信装置は、所望するタイミングで簡易な方法により音声信号を送信する信号方式を判定することができるという効果を奏する。
【００２４】
また、本発明に係る通信装置は、上記した構成において、通信先から受信した音声信号に基づき音声を出力する音声出力部と、上記音声出力部から出力する音声を、上記判定手段により判定された信号方式に応じて調整するように制御する制御手段とを、さらに備えるように構成されていることが好ましい。
【００２５】
ところで、アナログ信号によって音声信号が送信される場合とデジタル信号によって音声信号が送信される場合とでは、前者は通信距離が増すごとに音声信号が減衰してしまう。このため、アナログ信号によって音声信号が送信される場合とデジタル信号によって音声信号が送信される場合とでは伝送された音声信号に基づき出力された音声の音量が異なることとなる。また、デジタル信号によって音声信号を送受信する場合、音声に遅延が発生するため、この遅延によりエコーが生じ通話品質が悪くなってしまう。そこで、音声信号を出力する場合、該音声信号の音量や発生するエコーの防止等、音声信号の信号方式に応じて出力する音声を調整する必要がある。
【００２６】
本発明に係る通信装置は、上記判定手段により、利用者の所望するタイミングで他の通信装置との通信において、デジタル信号によって音声信号を送信するのか、あるいはアナログ信号によって音声信号を送信するのか判定することができる。
【００２７】
このため、本発明に係る通信装置は、判定手段による判定結果に基づき、制御手段が音声を調整して自動的に出力することができる。
【００２８】
よって、本発明に係る通信装置は、所望するタイミングで、簡易な方法により音声信号を送信する信号方式を判定し、その信号方式に適した、音声に対する調整処理を自動的に行うことができる。
【００２９】
また、本発明に係る通信装置は、上記した構成において、上記判定手段が上記音声信号の送受信をアナログ信号により行うと判定した場合に上記音声出力部から出力させるべき音声の音量を示す第１音量情報と、上記判定手段が上記音声信号の送受信を、上記中継装置を介してデジタル信号により行うと判定した場合に上記音声出力部から出力させるべき音声の音量を示す第２音量情報とを記憶する音量情報記憶装置をさらに備え、上記判定手段が、上記中継装置を介してデジタル信号により上記音声信号の送受信を行うと判定した場合、上記制御手段は、上記第２音量情報に基づく音量に、上記音声出力部から出力させる音声の音量を調整するよう制御するように構成されていることが好ましい。
【００３０】
また、本発明に係る通信装置は、上記した構成において、上記判定手段が、上記音声信号の送受信をアナログ信号により行うと判定した場合、上記制御手段は、上記第１音量情報に基づく音量となるように、上記音声出力部から出力させる音声を調整するよう制御するように構成されていることが好ましい。
【００３１】
本発明に係る通信装置は、第１音量情報および第２音量情報を備えるため、中継装置と接続されるデジタル信号により音声信号の送受信を行う場合と、アナログ信号で音声信号の送受信を行う場合とのそれぞれにおいて出力する音声の適切な音量を把握することができる。
【００３２】
したがって、本発明に係る通信装置は、デジタル信号により音声信号を送受信する場合、第２音量情報に基づき迅速に出力させる音声の音量を調整することができる。一方、アナログ信号により音声信号を送受信する場合、第１音量情報に基づき迅速に、出力させる音声の音量を調整することができる。
【００３３】
また、本発明に係る通信装置は、上記した構成において、上記判定手段が、上記音声信号の送受信を上記中継装置を介してデジタル信号により行うと判定した場合、上記制御手段は、さらに音声出力部から出力させる音声に生じるエコーまたはハウリングを防止し通話品質を調整するよう制御するように構成されていてもよい。
【００３４】
上記構成によると、音声出力部から出力させる音声の通話品質を調整するように制御できるため、本発明に係る通信装置は、高い通話品質により音声を出力させることができる。
【００３５】
また、本発明に係る通信装置は、上記した構成において、上記判定手段が、上記中継装置を介して上記音声信号の送受信をデジタル信号により行うと判定した場合、上記選択情報を送信するための信号形式としてトーン信号またはパルス信号のいずれを選択するのか問い合わせるための問い合わせ情報を出力する出力手段と、上記出力手段によって出力された上記問い合わせ情報に基づき選択した信号形式を示す信号形式情報を受付ける受付け部と、をさらに備え、上記受付け部によって受付けた信号形式情報に基づく信号形式により、上記選択情報を送信するように構成されていることが好ましい。
【００３６】
上記構成によると、出力手段を備えるため通信装置の利用者に対して選択情報を送信するための信号形式を選択させることができる。また、受付け部をさらに備えるため、この利用者により選択された信号形式を示す信号形式情報を受付けることができる。このため、利用者が所望する信号形式を把握することができる。
【００３７】
したがって、本発明に係る通信装置は、中継装置と接続され、音声信号をデジタル信号により送受信する場合において、選択情報を送信するために利用する信号の信号形式をパルス信号およびトーン信号いずれでも自由に選択することができる。
【００３８】
本発明に係る通信装置の制御方法は、上記した課題を解決するために、通信先を選択するための選択情報の入力を促す発信音に応じて、該選択情報をトーン信号またはパルス信号のいずれかにより入力し、選択した通信先と通信を確立する通信装置の制御方法であって、トーン信号を発生させ、該トーン信号を出力する第１ステップと、パルス信号を発生させ、該パルス信号を出力する第２ステップと、上記第１ステップによるトーン信号の出力後における、上記発信音の発生状態と、上記第２ステップによるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する第３ステップと、を含むことを特徴とする。
【００３９】
上記方法によると、第１ステップ、第２ステップ、および第３テップを含むため、トーン信号およびパルス信号を発生させ、これらの信号形式で適切に伝送させることができるか否か発信音の発生状態から確認することができる。つまり、発信音の発生の有無により、パルス信号の信号形式により選択情報を伝送させることができるのか、トーン信号の信号形式により選択情報を伝送させることができるのか判定することができる。さらにまた、パルス信号およびトーン信号それぞれの信号形式による出力に対して、ともに発信音が停止された場合、出力したアナログ信号（パルス信号またはトーン信号）が中継装置によりデジタル信号に変換され出力されたものと判定することができる。
【００４０】
このように、本発明に係る通信装置の制御方法では、簡易な方法により、自身が中継装置に接続され、音声信号をデジタル信号により送受信するのか、あるいはアナログ信号により送受信するのか判定することができる。すなわち、他の通信装置と通信を確立した場合、デジタル信号によって音声信号が送信されるのか、あるいはアナログ信号によって音声信号が送信されるのか所望するタイミングで判定することができる。
【００４１】
また、この送信する音声信号の信号方式を、当該通信装置を利用する利用者が所望するタイミングで判断することができるため、回線の種類を着信時または発信時に判断する構成と比較して、着信時または発信時における処理が煩雑とならない。
【００４２】
したがって、本発明に係る通信装置の制御方法は、所望するタイミングで簡易な方法により音声信号を送信する信号方式を判定することができるという効果を奏する。
【００４３】
なお、上記通信装置は、コンピュータを利用して実現することができる。コンピュータを利用する場合、このコンピュータを上記各手段として動作させる。このように、上記通信装置を、コンピュータを利用して実現させるための通信装置の制御プログラム、およびそれを記録したコンピュータ読み取り可能な記録媒体は、本発明の範疇に入る。
【発明の効果】
【００４４】
本発明に係る通信装置は、以上のように、通信先を選択するための選択情報の入力を促す発信音に応じて、該選択情報をトーン信号またはパルス信号のいずれかにより入力し、選択した通信先と通信を確立する通信装置であって、トーン信号を発生させ、該トーン信号を出力するトーン信号発生手段と、パルス信号を発生させ、該パルス信号を出力するパルス信号発生手段と、上記トーン信号発生手段によるトーン信号の出力後における、上記発信音の発生状態と、上記パルス信号発生手段によるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する判定手段と、を備えることを特徴とする。
【００４５】
よって、本発明に係る通信装置は、所望するタイミングで簡易な方法により音声信号を送信する信号方式を判定することができるという効果を奏する。
【００４６】
本発明に係る通信装置の制御方法は、以上のように、通信先を選択するための選択情報の入力を促す発信音に応じて、該選択情報をトーン信号またはパルス信号のいずれかにより入力し、選択した通信先と通信を確立する通信装置の制御方法であって、トーン信号を発生させ、該トーン信号を出力する第１ステップと、パルス信号を発生させ、該パルス信号を出力する第２ステップと、上記第１ステップによるトーン信号の出力後における、上記発信音の発生状態と、上記第２ステップによるパルス信号の出力後における、上記発信音の発生状態とに基づき、通信先との音声信号の送受信をアナログ信号により行うのか、あるいはアナログ信号とデジタル信号との変換を行う中継装置を介してデジタル信号により行うのかを判定する第３ステップと、を含むことを特徴とする。
【００４７】
したがって、本発明に係る通信装置の制御方法では、所望するタイミングで簡易な方法により音声信号を送信する信号方式を判定することができるという効果を奏する。
【発明を実施するための最良の形態】
【００４８】
本発明の一実施形態について図１ないし図５に基づいて説明すると以下の通りである。すなわち、本実施の形態に係る通信システム１００は、図２に示すように、加入者宅６０、通信キャリア６１、およびＮＯＣ（Network Operation Center）６２を備えてなる構成である。図２は、本発明の実施形態を示すものであり、通信システム１００の概略構成を示す図である。
【００４９】
上記加入者宅６０では、電話機（通信装置）１が中継装置２を通じて、ＩＰネットワーク４に接続できるように配線される場合と、中継装置２とは接続されずスプリッタ８ａと接続し、公衆電話網５と接続できるように配線される場合との２タイプの通信ネットワークを構築することができるようになっている。なお、説明の便宜上、中継装置２に接続しデジタル信号によって音声信号をＩＰネットワーク４経由で送信する通信ネットワークにおける電話機を電話機（通信装置）１ａとする。一方、スプリッタ８ａを介してアナログ信号によって音声信号を公衆電話網５経由で送信する通信ネットワークにおける電話機を電話機（通信装置）１ｂと称して区別するものとする。なお、この構築する通信ネットワークのタイプによって区別する必要がない場合、単に電話機（通信装置）１と称する。
【００５０】
例えば、ＩＰネットワーク４を通じて他のＩＰ電話機６と通話を行う場合、電話機１ａから発信した音声信号は、中継装置２によってパケットに変換され、加入者宅６０から通信キャリア６１に送信される。そして、この音声信号（デジタル信号）はこの通信キャリア６１におけるスプリッタ８ｂによって分離されＮＯＣ６２に送信される。そして、ＮＯＣ６２から音声信号がＩＰネットワーク４経由してＩＰ電話機６に送信される。逆に、ＩＰ電話機６から着信をうける場合は、上述した経路と逆の経路で中継装置２にパケットが送信され、中継装置２はこのパケットを音声信号に変換して電話機１ａに出力する。
【００５１】
なお、図２に示す中継装置２は、電話機１ａから出力されたアナログ信号をデジタル信号に変換したり、デジタル信号をアナログ信号に変換し電話機１ａに出力したりすることができる装置であり、例えばＡＤＳＬモデム、ＶｏＩＰルータ、またはＴＡ等が挙げられる。
【００５２】
一方、公衆電話網５を通じて一般加入電話機７と通信を行う場合、電話機１ｂから発信した音声信号は、アナログ信号によりスプリッタ８ａ、８ｂを経由して通信キャリア６１の交換機３に送信される。そして、この交換機３は、受信した音声信号を、公衆電話網５を介して一般加入電話機７に送信する。
【００５３】
（電話機のハードウェア構成）
次に、上記した通信システム１００が備える本実施の形態に係る電話機１のハードウェア構成について図３を参照して説明する。図３は、本発明の実施形態を示すものであり、電話機１のハードウェア構成の一例を示すブロック図である。
【００５４】
本実施の形態に係る電話機１は、図３に示すように回線インタフェース１１、クロスポイントスイッチ部１２、着信検出部１３、モデム１４、ＤＴＭＦ信号発生部１５、パルス信号発生部１６、本体部スピーカ１７、操作部（受付け部）１８、送話・受話部１９、メモリ（音量情報記憶装置）２０、主制御部２１、および音量調整部（制御手段）２２を備えてなる構成である。
【００５５】
上記回線インタフェース１１は、外線または内線とのインタフェースを提供するものであり、主制御部２１からの指示に応じて所望される外線を捕捉する。
【００５６】
上記クロスポイントスイッチ部１２は、主制御部２１からの制御指示に応じて、外線と電話機との間の通信路を設定するものである。
【００５７】
着信検出部１３は、他の電話機からの着信を検知するためのものであり、外線を通じて入力された、他の電話機からの呼び出し信号を検出すると、着信を検知した旨を主制御部２１に通知する。
【００５８】
モデム１４は、ナンバーディスプレイデータを受信したり、ダイヤルトーンを検出したりするものである。モデム１４は、ナンバーディスプレイデータを受信した場合、あるいはダイヤルトーンを検出した場合、その旨を示す情報を主制御部２１に通知する。なお、電話機１が公衆電話網５を通じて他の電話機（一般加入電話機７）と接続される場合、このナンバーディスプレイデータおよびダイヤルトーンは交換機３から出力される。
【００５９】
一方、電話機１が中継装置２を経由して、ＩＰネットワーク４を通じて他の電話機（ＩＰ電話機６）と接続される場合、ダイヤルトーンはこの中継装置２から出力される。
【００６０】
ＤＴＭＦ信号発生部１５は、主制御部２１からの指示に応じて、トーン信号を発生させるものである。ＤＴＭＦ信号発生部１５は、トーン信号を発生させると回線インタフェース１１に対して出力する。
【００６１】
パルス信号発生部１６は、主制御部２１からの指示に応じて、パルス信号を発生させるものである。パルス信号発生部１６は、パルス信号を発生させると、回線インタフェース１１に対して出力する。
【００６２】
本体部スピーカ１７は、他の装置から着信があった場合、主制御部２１からの制御に応じて、この着信を知らせるためのベル音等を出力するためのスピーカである。
【００６３】
操作部１８は、電話をかけようとする相手の電話番号を入力して通話を指示するなどの指示情報を、当該電話機１に入力するためのものである。操作部１８を介して入力された情報は主制御部２１に出力される。また、後述する「音量調整処理」の実行を指示する情報を受付け、主制御部２１に出力するものでもある。
【００６４】
送話・受話部１９は、電話機１において受話および送話を行うためのものであり、通話先となる装置から入力された音声信号を出力するためのスピーカ部（音声出力部）３１と、通話先に出力するための音声信号を入力するためのマイク部３２とを備える。
【００６５】
メモリ２０は、不揮発性の記録媒体であり、通話先の電話番号、利用可能な回線についての情報等、本実施の形態に係る電話機１において通信処理に必要となる情報を記憶するものである。またこのメモリ２０には、後述する通信結果可否情報５０、音量初期設定値情報（第１音量情報）５１、および音量低減情報（第２音量情報）５２も記録される。
【００６６】
主制御部２１は、本実施の形態に係る電話機１が備える各部の各種制御を行うためのものである。
【００６７】
音量調整部２２は、主制御部２１からの指示に応じて送話・受話部１９において出力する音声の音量を調整するものである。
【００６８】
このように各部を備える電話機１は、以下のようにして着信およびその応答を行うことができる。すなわち、外線から入力された呼び出し信号を回線インタフェース１１が受信すると、主制御部２１に制御された着信検出部１３に伝えられる。そして、この着信検出部１３は、この検出結果を主制御部２１に出力する。これにより、主制御部２１は、交換機３から呼び出し信号を受信したことを把握することができる。
【００６９】
ここで、この外線に応答する場合、電話機１の利用者は、操作部１８において着信中であることが示されている外線ボタンを押下し、この押下した外線に対応する回線を捕捉するように主制御部２１に通知する。主制御部２１は、操作部１８から通知された捕捉すべき回線を使用中としてメモリ２０に記録するとともに、クロスポイントスイッチ部１２にこの捕捉すべき回線の情報を通知する。クロスポイントスイッチ部１２は、主制御部２１から受信した通知に基づき、該当する外線と電話機１とに対応するクロスポイントスイッチをＯＮにして、この外線および電話機１間の通信路を設定する。
【００７０】
以上のようにして、電話機１は、着信およびその応答を行うことができる。
【００７１】
次に図４を参照して上記した構成を有する電話機１が中継装置２に接続されず、モジュラージャックを介して公衆電話網５に接続されている場合における通信の確立について説明する。なお、説明の便宜上、電話機１を発呼者とし、発呼者と交換機３と被呼者との間における通信の確立について説明する。
【００７２】
なお、図４は、本実施の形態に係る電話機１（電話機１ｂ）、交換機３、および通信相手となる他の電話機間における通信の確立手順を示す図である。
【００７３】
本実施の形態に係る電話機１の利用者が発呼者の場合、主制御部２１は、捕捉すべき回線を使用中としてメモリ２０に記録するとともに、クロスポイントスイッチ部１２にこの捕捉すべき回線の情報を通知する。クロスポイントスイッチ部１２は、主制御部２１から受信した通知に基づき、該当する外線と電話機１とに対応するクロスポイントスイッチをＯＮにして、この外線と電話機１との間における通信路を設定する。
【００７４】
このようにして電話機１および外線間の通信路が設定されると、図４に示すように呼の設定信号（発呼信号）が交換機３に出力される（ステップＳ２１、これ以降はＳ２１というように称する）。交換機３は、この呼の設定信号を受信すると、該信号の送信元、すなわち発呼者の電話機１にダイヤルトーン（発信音）を出力する（Ｓ２２）。
【００７５】
上記電話機１では、ダイヤルトーンを検出すると、利用者が操作部１８を操作して、相手先電話番号を入力する。そして、電話機１では、ＤＴＭＦ信号発生部１５によって発生させたトーン信号により、相手先電話番号を示す選択信号（選択情報）を交換機３に出力する（Ｓ２３）。この出力によってダイヤルトーンの代わりに、交換機３から電話機１に呼び出し音が出力される（Ｓ２４）。一方、非呼者に対しては交換機３から呼び出し信号が出力される（Ｓ２５）。
【００７６】
被呼者側では、上記呼び出し信号を交換機３から受信すると、受信があった外線を捕捉し応答信号を交換機３に出力する（Ｓ２６）。このようにして発呼者と被呼者との間の通信を、交換機３を介して確立させる。そして、終話信号が交換機３に送信されるまで（Ｓ２７）発呼者と被呼者との間で会話が行われる。
【００７７】
以上のようにして、本実施の形態に係る電話機１は交換機３を介して他の電話機との通信を確立することができる。
【００７８】
ところで、上記した構成を有する本実施の形態に係る電話機１は、屋内に配された中継装置２を利用して屋外配線と接続されているか否か、すなわち、他の電話機との間で送受信する信号がアナログ信号で送信されるのか、あるいはデジタル信号で送信されるのかを判定するように構成されている。そして、この判定結果に応じて、主制御部２１から送話・受話部１９を制御して出力する音声の音量を調整するように設定されている。
【００７９】
これは、本実施の形態に係る電話機１では、工場出荷時にアナログ信号により通話を行う形態を想定した音量に設定されている。このため、電話機１が上記中継装置２を通じて屋外の配線と接続される場合、すなわち、デジタル信号によって他の電話機と通信を行う場合、上述したように送話・受話部１９から出力される音量が不適切な設定となり大きくなってしまうからである。
【００８０】
以下において、本実施の形態に係る電話機１における、送話・受話部１９の音量調整に関する処理（音量調整処理）についての詳細を説明する。
【００８１】
（音量調整処理に関する電話機のソフトウェア構成）
まず、図１を参照して上記「音量調整処理」に関する電話機１のソフトウェア構成について説明する。図１は、本発明の実施形態を示すものであり電話機１のソフトウェア構成を示すブロック図である。
【００８２】
図１に示すように電話機１は、「音量調整処理」を実現する機能ブロックとして、信号発生指示部４１、通信結果判定部（判定手段・出力手段）４２、および音量設定部４３を備えてなる構成である。これらの機能ブロックは、例えば主制御部２１がＣＰＵによって実現される場合、このＣＰＵが不図示のＲＯＭ等からプログラムを、不図示のＲＡＭ等に読み出し実行することにより実現できる。
【００８３】
また、メモリ２０には、通信結果可否情報５０、音量初期設定値情報５１、および音量低減情報５２が記憶されている。この通信結果可否情報５０は、トーン信号またはパルス信号によって選択信号を交換機３に送信できるか否かについての判定結果を記録した情報である。
【００８４】
また、音量初期設定値情報５１は、工場出荷時において電話機１に設定する、送話・受話部１９から出力する音量を示す情報である。音量低減情報５２は、電話機１が中継装置２に接続されている際に、この電話機１の送話・受話部１９から出力する音量を、音量初期設定値情報５１に基づき設定された音量からどれだけ低下させるかを示す情報である。
【００８５】
この音量低減情報として、本実施の形態に係る電話機１で例えば６ｄＢと記憶されている。すなわち、音量初期設定値情報５１に基づき設定された音量（工場出荷時における音量）よりも中継装置２に接続して他の電話機と通信を確立する場合は、６ｄＢ程度さげることとなる。
【００８６】
上記信号発生指示部４１は、ＤＴＭＦ信号発生部１５に指示してトーン信号を発生させたり、パルス信号発生部１６に指示してパルス信号を発生させたりするものである。なお、信号発生指示部４１とＤＴＭＦ信号発生部１５とによって本発明のトーン信号発生手段を実現する。また、信号発生指示部４１とパルス信号発生部１６とによって本発明のパルス信号発生手段を実現する。
【００８７】
信号発生指示部４１は、操作部１８から入力された「音量調整処理」の開始指示をトリガとして、クロスポイントスイッチ部１２に指示し回線を捕捉させ外線と電話機１との間の通信路を設定させる。そして、捕捉した外線を通じて呼の設定信号が交換機３に出力される。一方、交換機３からは、この呼の設定信号に応じて、ダイヤルトーンが送信される。
【００８８】
このようにして通信路が設定されると、信号発生指示部４１は、ＤＴＭＦ信号発生部１５にトーン信号の発生を、またパルス信号発生部１６にパルス信号の発生を指示する。
【００８９】
なお、操作部１８から選択信号をパルス信号またはトーン信号で出力するように設定指示を受付けた場合、信号発生指示部４１は、この指示に応じて、選択信号をパルス信号またはトーン信号で出力できるように設定することもできる。
【００９０】
通信結果判定部４２は、モデム１４によるダイヤルトーンの検出の有無に応じて、出力した信号、すなわちトーン信号またはパルス信号によって交換機３と通信できるか否か判定するものである。すなわち、通信結果判定部４２は、信号発生指示部４１からＤＴＭＦ信号発生部１５またはパルス信号発生部１６に対して出力する信号の発生指示を監視している。そして、信号発生指示部４１からＤＴＭＦ信号発生部１５またはパルス信号発生部１６に信号の発生が指示されてからダイヤルトーンの検出を示す情報が消滅しなかった場合、出力したトーン信号またはパルス信号では交換機３と通信できなかったと判断する。
【００９１】
つまり、通信結果判定部４２は、信号発生指示部４１からの指示に応じてＤＴＭＦ信号発生部１５からトーン信号が出力されると、ダイヤルトーンの検出状態（発生状態）について判断する。そして、通信結果判定部４２は、その判断結果を通信結果可否情報５０としてメモリ２０に記録させるとともに、信号発生指示部４１に対して、トーン信号の代わりにパルス信号を発生するように指示する。
【００９２】
また、信号発生指示部４１からの指示に応じてパルス信号発生部１６からパルス信号が出力されると、通信結果判定部４２は、ダイヤルトーンの検出が無くなったか否かその検出状態を判断する。そして、通信結果判定部４２は、その判断結果を通信結果可否情報５０としてメモリ２０に記録させる。
【００９３】
このようにして、通信結果判定部４２は、トーン信号およびパルス信号それぞれを出力した際に、この信号で交換機３と通信できるか否か確認する。そして、通信結果可否情報５０を参照して両方の信号（トーン信号およびパルス信号）いずれの場合であっても通信することができる旨を確認した場合、通信結果判定部４２は、電話機１が中継装置２を介して、屋外の配線と接続されていると判断する。そして、通信結果判定部４２は、音量設定部４３に指示して送話・受話部１９において出力する音量を調節するように指示する。
【００９４】
上記音量設定部４３は、通信結果判定部４２からの指示に応じて、音量初期設定値情報５１または音量低減情報５２を参照して、送話・受話部１９から出力される音量を調整するように音量調整部２２を制御するものである。音量設定部４３は、音量調整部２２とともに本発明の制御手段を実現する。
【００９５】
（音量調整処理の処理フロー）
次に、本実施の形態に係る電話機１における「音量調整処理」に関する処理フローについて図５を参照して説明する。図５は、本発明の実施形態を示すものであり。電話機１における「音量調整処理」に関する処理フローの一例を示すフローチャートである。
【００９６】
まず、前提として本実施の形態に係る電話機１を利用するユーザは、この電話機１が中継装置２を介して屋外配線に接続されているか否か把握していない状態にあるものとする。なお、このような状態の一例としては、例えば、以下のような（１）〜（３）の状態を想定することができる。
（１）中継装置２が屋内の目立たない位置に設置されており、電話機１が中継装置２を介して屋外配線に接続されているか否かわからない状態。
（２）中継装置２を介して屋外配線に接続される複数の電話機１…と、継装置２を介することなくモジュラージャックを通じて屋外配線に接続される複数の電話機１…が混在しており、ユーザが利用する電話機１が中継装置２に接続されているか否かわからない状態。
（３）電話機１を利用するユーザが通信機器およびこれらの配線技術等に関する知識が少なく中継装置２に電話機１が接続されているのか否かわからない状態。
【００９７】
上記した前提において、ユーザが操作部１８を操作して「音量調整処理」の実行を指示する。
【００９８】
なお、本実施の形態に係る電話機１では、この指示を実際には、電話機１の電源投入を指示することによりなされるように構成されている。
【００９９】
このユーザからの指示を操作部１８が受付けると、信号発生指示部４１に通知する。信号発生指示部４１は、操作部１８から上記通知を受信するとクロスポイントスイッチ部１２に指示して外線および電話機１間の通信路を設定させ、外線を捕捉させる（ステップＳ１、これ以降Ｓ１と称する）。
【０１００】
このようにして、外線を捕捉すると、この外線を通じて電話機１から呼の設定信号が出力される。そしてこの呼の設定信号に応じてダイヤルトーンを受信する。このようにダイヤルトーンを受信している状態において、信号発生指示部４１は、ＤＴＭＦ信号発生部１５に、トーン信号を発生させるように指示する。ＤＴＭＦ信号発生部１５は、信号発生指示部４１からの指示に応じて、トーン信号を発生させ、回線インタフェース１１を通じて捕捉した外線に出力する（Ｓ２）。
【０１０１】
ここで、本実施の形態に係る電話機１が中継装置２に接続されている場合、上記トーン信号を中継装置２が受信する。そして中継装置２は、電話機１から送出されたトーン信号を検出するとダイヤルトーン（発信音）の送出を停止する。
【０１０２】
また、本実施の形態に係る電話機１が中継装置２に接続されていない場合でかつ、選択信号としてトーン信号を出力するように設定されているときは、交換機３から出力されていたダイヤルトーンが停止される。
【０１０３】
一方、本実施の形態に係る電話機１が中継装置２に接続されていない場合でかつ、パルス信号を出力するように設定されているときは、交換機３に適切に信号が出力されないためダイヤルトーンが停止されない。
【０１０４】
そこで、通信結果判定部４２は、ＤＴＭＦ信号発生部１５にトーン信号の発生を指示してから、モデム１４による検出結果に基づき、ダイヤルトーンが停止されたか否かについて監視している。そして、通信結果判定部４２は、ダイヤルトーンが消滅し停止させられたと確認した場合（Ｓ３において「ＹＥＳ」）、トーン信号により交換機３に信号を送信することができると判断し、その判断結果を通信結果可否情報５０に記録する。さらに、通信結果判定部４２は、この判定結果を信号発生指示部４１に通知する。
【０１０５】
信号発生指示部４１は、この通知に応じて、ＤＴＭＦ信号発生部１５にトーン信号の発生を停止させるとともに（Ｓ４）、クロスポイントスイッチ部１２に捕捉した外線を開放するよう指示する（Ｓ５）。このようにしてトーン信号の発生を停止させるとともに捕捉した外線を開放する。
【０１０６】
一方、ステップＳ３において「ＮＯ」の場合、すなわち、ダイヤルトーンが停止されない場合、通信結果判定部４２は、電話機１が中継装置２を介して屋外配線に接続されておらず、かつ交換機３との選択信号の通信がパルス信号で設定されているものと判断する。この通信結果判定部４２の判断結果に基づき、信号発生指示部４１は、選択信号をパルス信号にて出力するようにパルス信号発生部１６の設定を行う（Ｓ１０）。
【０１０７】
また、上記ステップＳ５にて捕捉した外線を開放すると、信号発生指示部４１は、再度、クロスポイントスイッチ部１２に指示して外線および電話機１間の通信路を設定し、外線を捕捉するように指示する（Ｓ６）。このようにして再度、外線と接続されると呼の設定要求信号が出力され、これに応じて発信されたダイヤルトーンをモデム１４が検知する。
【０１０８】
信号発生指示部４１は、パルス信号発生部１６にパルス信号を発生させるように指示する。この信号発生指示部４１からの指示に応じてパルス信号発生部１６は回線インタフェース１１を通じて接続されている外線にパルス信号を出力する（Ｓ７）。
【０１０９】
上述したように通信結果判定部４２は、パルス信号発生部１６にパルス信号の発生を指示してから、モデム１４の検出結果に基づきダイヤルトーンが停止されたか否か、すなわちダイヤルトーンの発信状況について監視している。そして、通信結果判定部４２は、ダイヤルトーンが消滅し停止させられたと確認した場合（Ｓ８において「ＹＥＳ」）、パルス信号によっても交換機３に信号を送信することができると判断し、その判断結果を通信結果可否情報５０に記録する。
【０１１０】
ここで、ステップＳ８において「ＹＥＳ」の場合、本実施の形態に係る電話機１からパルス信号およびトーン信号のいずれの信号形式であっても適切に選択信号を送信することができることとなる。
【０１１１】
つまり、通信結果判定部４２は、本実施の形態に係る電話機１が中継装置２を介して屋外配線に接続されている、すなわち、デジタル信号によって音声信号を他の電話機に送信する構成であると判断し、音量設定部４３に対して音量を調整するように指示する。この指示に応じて、音量設定部４３は、音量低減情報５２を参照して、送話・受話部１９から出力される音声の音量を低減させるように音量調整部２２を制御する。このように、音量設定部４３からの制御指示に基づき、音量調整部２２は送話・受話部１９から出力される音量を低減させる（Ｓ９）。
【０１１２】
一方、上記ステップＳ８において「ＮＯ」の場合、すなわち、ダイヤルトーンが停止されない場合、通信結果判定部４２は、電話機１が中継装置２を介して交換機３と接続されておらず、選択信号の通信がトーン信号で設定されているものと判断する。このため、電話機１では、選択信号をトーン信号にて出力するようにＤＴＭＦ信号発生部１５の設定を行う（Ｓ１１）。
【０１１３】
以上のように、本実施の形態に係る電話機１では、トーン信号およびパルス信号を出力することにより、この電話機１が中継装置２を介して交換機３と接続されているか否か容易に判定することができる。すなわち、音声信号をデジタル信号によって送信するのか、あるいはアナログ信号によって送信するのか容易に判定することができる。
【０１１４】
また、上記電話機１が中継装置２と接続されていると判定した場合、電話機１から出力する音量、すなわち、送話・受話部１９のスピーカ部３１から出力する音量を調整することができる。
【０１１５】
また、本実施の形態に係る電話機１は、上記中継装置２を介さず交換機３と接続し、他の電話機と通信を確立させた場合に、送話・受話部１９から出力した音量が適切となるように初期設定時に設定されている。そして、中継装置２に接続され、デジタル信号で音声信号を送受信するように屋内配置が変更されると、送話・受話部１９から出力される音量が大きくなる。このため、初期設定時に設定した音量を所定量だけ下げるように設定する構成である。
【０１１６】
ここで、初期設定時に設定した音量よりも所定量だけ下げるように設定した電話機１の屋内配線が、アナログ信号によって音声信号を他の電話機と送受信するよう変更された場合、送話・受話部１９から出力される音量が適切な音量よりも小さく出力されてしまうこととなる。
【０１１７】
そこで、中継装置２と接続しないように配線が変更された場合、電話機１では、この初期設定時に設定した音量に戻すように、音量設定部４３が音量調整部２２を制御するように構成されていることが好ましい。このように構成される場合、電話機１は、具体的には以下のタイミングで音量の調整を行うように構成される。
【０１１８】
すなわち、図５に示すステップＳ１０において、信号発生指示部４１が、出力する選択信号をパルス信号にて行うようにパルス信号発生部１６を設定するとともに、音量設定部４３に対して音量の調整を指示する。音量設定部４３は、この通信結果判定部４２からの指示に応じて、音量初期設定値情報５１を参照して、送話・受話部１９から出力される音量を初期状態の音量となるよう音量調整部２２を制御する。そして、この制御指示に応じて、音量調整部２２は送話・受話部１９から出力する音声の音量を初期状態に設定した音量となるよう設定する。
【０１１９】
さらには、図５に示すステップＳ１１においても同様に、信号発生指示部４１が出力する選択信号をトーン信号にて行うようにＤＴＭＦ信号発生部１５を設定するとともに、音量設定部４３に対して音量を調整するように指示する。音量設定部４３は、通信結果判定部４２からの指示に応じて、音量初期設定値情報５１を参照して、送話・受話部１９から出力される音量を初期状態の音量となるよう音量調整部２２を制御する。そして、この制御指示に応じて、音量調整部２２は送話・受話部１９から出力する音声の音量を初期状態に設定した音量となるよう設定する。
【０１２０】
さらにまた、本実施の形態に係る電話機１では、通信結果判定部４２が中継装置２と接続されていると判定した場合、選択信号をパルス信号で出力させるのかトーン信号で出力させるのか選択できるように構成されていてもよい。
【０１２１】
このように構成されている場合、通信結果判定部４２が中継装置２と接続されていると判定すると、不図示の表示部に選択信号をパルス信号で出力させるのかトーン信号で出力させるのかユーザに選択を促す旨の情報（問い合わせ情報）の表示を行う。この表示に応じて、ユーザが選択信号を出力する信号形式を選択し、その選択結果を示す情報である信号形式情報を操作部１８から入力する。
【０１２２】
操作部１８は、ユーザからトーン信号で出力させるのか、パルス信号で出力させるのかについて示す信号形式情報を受付けると、この情報を信号発生指示部４１に通知する。信号発生指示部４１は、操作部１８からの通知を受信するとトーン信号で選択信号を出力させる場合は、ＤＴＭＦ信号発生部１５に対して、選択信号をトーン信号で出力させるように設定する。一方、信号発生指示部４１は、操作部１８からの通知を受信するとパルス信号で選択信号を出力させる場合は、パルス信号発生部１６に対して、選択信号をパルス信号で出力させるように設定する。
【０１２３】
なお、上記では、ＤＴＭＦ信号発生部１５にトーン信号の発生を指示した後にパルス信号発生部１６にパルス信号の発生を指示する構成であったが発生させる信号の順番はこれに限定されるものではなく、パルス信号を発生させ、その後トーン信号を発生させる構成であってもよい。
【０１２４】
また、本実施の形態に係る電話機１では、通信結果判定部４２による判定結果に応じて、音量設定部４３が、音声信号の音量を設定する構成であったがこれに限定されるものではない。例えば、図１に示す構成において、通信結果判定部４２による判定結果を受信し、音声信号のエコーキャンセラー処理を実行するエコーキャンセラー部（不図示）をさらに備える構成であってもよい。
【０１２５】
より具体的には、本実施の形態に係る電話機１では、中継装置２を経由してデジタル信号によって音声信号を送受信する場合、音声に遅延が発生する。そして、この遅延によりエコーが生じ通話品質が悪くなってしまう。そこで、通信結果判定部４２が、音声信号をデジタル信号にて送受信すると判定した場合、この音声信号の音量や発生するエコーを防止するように上記エコーキャンセラー部がエコーキャンセラー処理を実行する。このように、エコーキャンセラー部をさらに備える構成では、音声信号をデジタル信号にて送受信する場合、通話品質が低下しないように処理することができる。
【０１２６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２７】
最後に、電話機１が備える各ブロック、特に信号発生指示部４１、通信結果判定部４２、および音量設定部４３は、ハードウェアロジックによって構成してもよいし、次のようにＣＰＵを用いてソフトウェアによって実現してもよい。
【０１２８】
すなわち、電話機１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電話機１の制御プログラムのプログラムコード（実行形式プログラム、中間コードプログラム、ソースプログラム）をコンピュータで読み取り可能に記録した記録媒体を、上記電話機１に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、電話機１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１３１】
本発明に係る通信装置は、電話機にのみ限定されるものではなく、公衆回路網５およびＩＰネットワーク４等を利用して他の装置と通信を確立できる例えばＦＡＸ装置等にも適用できる。
【図面の簡単な説明】
【０１３２】
【図１】本発明の実施形態を示すものであり、電話機のソフトウェア構成を示すブロック図である。
【図２】本発明の実施形態を示すものであり、通信システムの概略構成を示す図である。
【図３】本発明の実施形態を示すものであり、電話機のハードウェア構成の一例を示すブロック図である。
【図４】本実施の形態に係る電話機、交換機、および通信相手となる他の電話機間における通信の確立手順を示す図である。
【図５】本発明の実施形態を示すものであり。電話機における「音量調整処理」に関する処理フローの一例を示すフローチャートである。
【図６】従来技術を示すものであり、ＩＳＤＮ、およびＡＤＳＬ、ＦＴＴＨ等を利用して実現できるＩＰ電話における配線の概略を示す図である。
【符号の説明】
【０１３３】
１  電話機（通信装置）
１ａ電話機（通信装置）
１ｂ電話機（通信装置）
２  中継装置
３  交換機
６  ＩＰ電話機
７  電話機
１３  着信検出部
１４  モデム
１５  ＤＴＭＦ信号発生部（トーン信号発生手段）
１６  パルス信号発生部（パルス信号発生手段）
１８  操作部（受付け部）
１９  送話・受話部
２０  メモリ（音量情報記憶装置）
２１  主制御部
２２  音量調整部（制御手段）
３１  スピーカ部（音声出力部）
４１  信号発生指示部（トーン信号発生手段・パルス信号発生手段）
４２  通信結果判定部（判定手段・出力手段）
４３  音量設定部（制御手段）
５０  通信結果可否情報
５１  音量初期設定値情報（第１音量情報）
５２  音量低減情報（第２音量情報）
６０  加入者宅
６１  通信キャリア
６２  ＮＯＣ
１００  通信システム
【図１】
2009033229.tif 000003
【図２】
2009033229.tif 000004
【図３】
2009033229.tif 000005
【図４】
2009033229.tif 000006
【図５】
2009033229.tif 000007
【図６】
2009033229.tif 000008